(57)【要約】【課題】大型化を回避して省スペース化を図ることができる混合水栓を提供する。【解決手段】混合水栓１は、熱湯と水とを混合した混合湯又は水及び熱湯を吐出する水栓である。混合水栓１は、給湯部１０、給水部２０、及び本体部３０を備えている。給湯部１０は熱湯を供給する。給水部２０は水を供給する。本体部３０は、給湯部１０から供給された熱湯と給水部２０から供給された水とを混合した混合湯又は水を流出する混合弁３１を有する。本体部３０には、混合弁３１に供給する熱湯が流通する混合用熱湯流通路ＨＭ、混合弁３１に供給する水が流通する水流通路Ｃ、混合弁３１を経由して吐出される混合湯又は水が流通する湯水流通路Ｍ、及び吐出される熱湯が流通する吐出用熱湯流通路ＨＤが形成されている。これら各流通路ＨＭ，Ｃ，Ｍ，ＨＤは、給湯部１０と給水部２０との間に配置される。【選択図】図２
2019044386.tif 000002
【特許請求の範囲】
【請求項１】
熱湯と水とを混合した混合湯又は水及び熱湯を吐出する混合水栓であって、
熱湯を供給する給湯部と、
水を供給する給水部と、
前記給湯部から供給された熱湯と前記給水部から供給された水とを混合した混合湯又は水を流出する混合弁を有する本体部と、を備えており、
前記本体部には、前記給湯部と前記給水部との間に配置されるとともに、前記混合弁に供給する熱湯が流通する混合用熱湯流通路、前記混合弁に供給する水が流通する水流通路、前記混合弁を経由して吐出される混合湯又は水が流通する湯水流通路、及び吐出される熱湯が流通する吐出用熱湯流通路が形成されていることを特徴とする混合水栓。
【請求項２】
前記本体部は、設置状態における前記混合弁の下方に前記吐出用熱湯流通路が形成されていることを特徴とする請求項１記載の混合水栓。
【請求項３】
前記本体部、前記給湯部、及び前記給水部は夫々別体に設けられていることを特徴とする請求項１又は２記載の混合水栓。
【請求項４】
前記本体部と前記給湯部、及び前記本体部と前記給水部は、夫々接続管で接続されていることを特徴とする請求項３記載の混合水栓。
【請求項５】
前記給湯部は、前記混合用熱湯流通路及び前記吐出用熱湯流通路の夫々に熱湯を供給するように分岐して形成されていることを特徴とする請求項３又は４記載の混合水栓。
【請求項６】
前記本体部に接続されるとともに、前記吐出用熱湯流通路に連通して形成された吐出管側熱湯流通路と、前記湯水流通路に連通して形成された吐出管側湯水流通路とが形成された吐出管を備えていることを特徴とする請求項１乃至５のいずれか一項に記載の混合水栓。
【請求項７】
前記本体部は、前記混合弁と、前記混合弁を収納するとともに、前記湯水流通路及び前記吐出用熱湯流通路が形成されたハウジングとを有しており、表面を意匠面とするカバー部材によって覆われていることを特徴とする請求項１乃至６のいずれか一項に記載の混合水栓。
【発明の詳細な説明】
【技術分野】
【０００１】
本発明は混合水栓に関するものである。
【背景技術】
【０００２】
特許文献１は従来の混合水栓を開示している。この混合水栓は、熱湯と、熱湯及び水を混合した混合湯又は水とを吐出する。混合水栓は、給湯部、給水部及び本体部を備えている。給湯部、給水部及び本体部は、本体部を間に挟む形態で並んで配置されている。本体部は混合弁を有している。混合弁は、給湯部から供給される熱湯と、給水部から供給される水とを混合する。本体部には、混合弁に熱湯を供給する混合用熱湯流通路、及び水を供給する水流通路が形成されている。混合湯又は水は、混合弁を経由して流通し、本体部下方に設けられた吐出管から吐出される。熱湯は、給湯部の上方に設けられた吐出管から吐出される。
【先行技術文献】
【特許文献】
【０００３】
【特許文献１】特開２０００−９６６４４号公報
【発明の概要】
【発明が解決しようとする課題】
【０００４】
特許文献１の混合水栓の場合、熱湯を吐出する吐出管に供給される熱湯は、給湯部から熱湯用の吐出管へ直接供給されていると考えられる。すなわち、熱湯用の吐出管に供給される熱湯は、本体部を経由することなく熱湯用の吐出管に供給される。この場合、熱湯用の吐出管に供給される熱湯の経路を本体部に供給する熱湯の経路とは別に設けなければならず、混合水栓が大型化してしまうといった課題があった。
【０００５】
本発明は、上記従来の実情に鑑みてなされたものであって、大型化を回避して省スペース化を図ることができる混合水栓を提供することを解決すべき課題としている。
【課題を解決するための手段】
【０００６】
本発明の混合水栓は、
熱湯と水とを混合した混合湯又は水及び熱湯を吐出する混合水栓であって、
熱湯を供給する給湯部と、
水を供給する給水部と、
前記給湯部から供給された熱湯と前記給水部から供給された水とを混合した混合湯又は水を流出する混合弁を有する本体部と、を備えており、
前記本体部には、前記給湯部と前記給水部との間に配置されるとともに、前記混合弁に供給する熱湯が流通する混合用熱湯流通路、前記混合弁に供給する水が流通する水流通路、前記混合弁を経由して吐出される混合湯又は水が流通する湯水流通路、及び吐出される熱湯が流通する吐出用熱湯流通路が形成されていることを特徴とする。
【０００７】
この混合水栓は、混合弁に供給するための熱湯が流通する混合用熱湯流通路と、混合弁に供給するための水が流通する水流通路と、混合弁により混合された混合湯又は水が流通する湯水流通路と、吐出するための熱湯が流通する吐出用熱湯流通路と、を本体部に集約して形成している。このため、本発明の混合水栓は、これらの流通路が本体部に集約されていない構成、例えば、吐出用の熱湯流通路が本体部の外形成されている場合と比較して、小型化を図ることができる。
【０００８】
したがって、本発明の混合水栓は、大型化を回避して省スペース化を図ることができる。
【図面の簡単な説明】
【０００９】
【図１】実施例１に係る混合水栓を示す斜視図である。
【図２】実施例１に係る混合水栓の各流通路の形態を模式的に示す図である。
【図３】実施例１に係る混合水栓を示す正面断面図である。
【図４】図３の矢視ＩＶ−ＩＶ断面図である。
【図５】図３の矢視Ｖ−Ｖ断面図である。
【図６】実施例１に係る混合水栓において、各流通路の形態を説明するための図である。
【図７】図６の要部拡大図であり、吐出管の基端側を示す図である。
【図８】図６の要部拡大図であり、吐出管の先端側を示す図である。
【発明を実施するための形態】
【００１０】
本発明における好ましい実施の形態を説明する。
【００１１】
本発明の混合水栓において、前記本体部は、設置状態における前記混合弁の下方に前記吐出用熱湯流通路が形成され得る。この場合、混合弁と吐出用熱湯流通路とを上下に配置することで、本体部の奥行き寸法を抑えることができ、本体部の小型化を図ることができる。
【００１２】
本発明の混合水栓において、前記本体部、前記給湯部、及び前記給水部は夫々別体に設けられ得る。この場合、給湯部及び給水部とは別体で本体部が設けられるので、各部の構造を簡素化でき、更なる小型化を図ることができる。また、内部に各流通路が形成される本体部が給湯部及び給水部と一体に設けられている場合と比較して、各流通路の経路を簡素化することができるので、容易に製造することができる。更に、例えば、熱湯が流通する本体部や給湯部は耐熱性に優れた材質を採用する等、各部の性質に適した異なる材料を選択して採用することができる。
【００１３】
本発明の混合水栓において、前記本体部と前記給湯部、及び前記本体部と前記給水部は、夫々接続管で接続され得る。この場合、本体部に給湯部及び給水部を直接接続する場合と比較して、各部の構造をより簡素化することができるので、更なる小型化を図ることができる。
【００１４】
本発明の混合水栓において、前記給湯部は、前記混合用熱湯流通路及び前記吐出用熱湯流通路の夫々に熱湯を供給するように分岐して形成され得る。この場合、混合用熱湯流通路と吐出用熱湯流通路とを本体部内で分岐させる場合と比較して、本体部の構造をより簡素化することができるので、更なる小型化を図ることができる。
【００１５】
本発明の混合水栓は、前記本体部に接続されるとともに、前記吐出用熱湯流通路に連通して形成された吐出管側熱湯流通路と、前記湯水流通路に連通して形成された吐出管側湯水流通路とが形成された吐出管を備え得る。この場合、１つの吐出管で熱湯と混合湯又は水とを吐出できるので、熱湯が吐出される吐出管と混合湯又は水が吐出される吐出管とを別々に設けた場合と比較して、更なる小型化を図ることができる。
【００１６】
本発明の混合水栓において、前記本体部は、前記混合弁と、前記混合弁を収納するとともに、前記湯水流通路及び前記吐出用熱湯流通路が形成されたハウジングとを有しており、表面を意匠面とするカバー部材によって覆われ得る。この場合、別体のカバー部材により意匠性を確保できるとともに、本体部については、混合弁の収納形態や各流通路の形成形態等の選択を、例えば、機能性等、意匠性とは別の観点で行うことができる。これにより、意匠性と、機能性等の他の性能と、を兼ね備えた混合水栓を容易に実現することができる。
【００１７】
次に、本発明の混合水栓を具体化した実施例１について、図面を参照しつつ説明する。なお、以下の説明では、上下、左右の方向については、図２及び図３に表れる向きをそのまま上下、左右方向と定義し、前後の方向については、図４に表れる左方を前方、右方を後方と夫々定義して説明する。
【００１８】
＜実施例１＞
実施例１の混合水栓１は、壁取り付け型の水栓である。混合水栓１は、図１〜図５に示すように、給湯部１０、給水部２０、及び本体部３０を備えている。また、混合水栓１は、吐出管４０を備えている。これら各部は、大半を白色の樹脂製カバーにより夫々覆われており、全体として白色を呈する清潔感のある意匠とされている。
【００１９】
給湯部１０は熱湯を供給する。詳細には、給湯部１０は、壁面に引き出された給湯管（図示せず）からの熱湯を本体部３０に供給する。給湯部１０は、図２及び図３に示すように、給湯側取付脚１１及び給湯部本体１２を有している。給湯側取付脚１１は真鍮製で管状に形成されている。また、給湯側取付脚１１には樹脂製のカバー１１Ａが取り付けられている。給湯側取付脚１１は、両端部において異なる方向に屈曲するいわゆるクランク状に形成されている。給湯側取付脚１１は上流端が壁面に引き出された給湯管に接続されている。給湯側取付脚１１は下流端が給湯部本体１２に接続されている。給湯部本体１２は真鍮製で前後方向に延びる管状に形成されている。給湯部本体１２は後端部において給湯側取付脚１１と連通している。
【００２０】
また、図５に示すように、給湯部本体１２の右側面には混合用熱湯流出口１２Ａ及び吐出用熱湯流出口１２Ｂが形成されている。混合用熱湯流出口１２Ａ及び吐出用熱湯流出口１２Ｂは、給湯部本体１２の右側面に前後方向に並んで開口して形成されている。これらのうち、前方の混合用熱湯流出口１２Ａは後述する本体部３０の混合用熱湯流通路ＨＭに連通する。後方の吐出用熱湯流出口１２Ｂは後述する本体部３０の吐出用熱湯流通路ＨＤに連通する。すなわち、給湯部１０は、混合用熱湯流通路ＨＭ及び吐出用熱湯流通路ＨＤの夫々に熱湯を供給するように分岐している。
【００２１】
給水部２０は水を供給する。詳細には、給水部２０は、壁面に引き出された給水管（図示せず）からの水を本体部３０に供給する。給水部２０は、図２及び図３に示すように、給水側取付脚２１及び給水部本体２２を有している。給水側取付脚２１は真鍮製で管状に形成されている。給水側取付脚２１は、給湯側取付脚１１と同様のクランク状に形成されている。給水側取付脚２１は上流端が壁面に引き出された給水管に接続されている。給水側取付脚２１は下流端が給水部本体２２に接続されている。給水部本体２２は真鍮製で前後方向に延びる管状に形成されている。また、図５に示すように、給水部本体２２は後端部において給水側取付脚２１と連通している。また、給水部本体２２の左側面には水流出口２２Ａが形成されている。水流出口２２Ａは後述する本体部３０の水流通路Ｃに連通している。
【００２２】
本体部３０は、図２及び図３に示すように、給湯部１０及び給水部２０の間に設けられている。本体部３０は混合弁３１とハウジング３２とを有している。混合弁３１は給湯部１０から供給される熱湯と給水部２０から供給される水とを混合した混合湯又は給水部２０から供給される水を流出する。混合弁３１は摺動自在に設けられたセラミックス製の複数のディスク弁体を収納したカートリッジ式である。混合弁３１は後述するレバー式ハンドル５０により操作される。
【００２３】
ハウジング３２は耐熱性樹脂であるポリフェニレンスルファイド（ＰＰＳ）製である。ハウジング３２は上下に延びる略円筒形状をなしている。混合弁３１はこのハウジング３２の上部に収納されている。詳細には、図３及び図４に示すように、ハウジング３２は上方に開口した有底の収納空間３２Ａが上部に形成されている。混合弁３１はこの収納空間３２Ａに収納されている。また、ハウジング３２は下方に開口した有底の連結穴３２Ｂが下部に形成されている。連結穴３２Ｂは底部から開口側の端部に向かって段差状に徐々に拡径して形成されている。連結穴３２Ｂは後述する吐出管４０の連結部４１が挿入される。
【００２４】
また、ハウジング３２は、図２〜図５に示すように、混合用熱湯流通路ＨＭ、水流通路Ｃ、湯水流通路Ｍ、及び吐出用熱湯流通路ＨＤが下部に形成されている。混合用熱湯流通路ＨＭは混合弁３１に熱湯を供給する流通路である。混合用熱湯流通路ＨＭは、ハウジング３２の左側面前方に形成された混合用熱湯流入口３２Ｃに給湯部１０からの熱湯が導入され、その熱湯が流通する（図５参照）。混合用熱湯流通路ＨＭは、混合用熱湯流入口３２Ｃから右方に延びるとともに、ハウジング３２の中央部で上方に屈曲して形成されている。混合用熱湯流通路ＨＭは下流端が収納空間３２Ａの底部に開口して混合弁３１に接続されている。
【００２５】
水流通路Ｃは混合弁３１に水を供給する流通路である。水流通路Ｃは、ハウジング３２の右側面前方に形成された水流入口３２Ｄに給水部２０からの水が導入され、その水が流通する。水流通路Ｃは、水流入口３２Ｄから左方に延びるとともに、ハウジング３２の中央部で上方に屈曲して形成されている。水流通路Ｃは下流端が収納空間３２Ａの底部に開口して混合弁３１に接続されている。
【００２６】
湯水流通路Ｍは、混合弁３１により混合された混合湯又は水が流通する流通路である。湯水流通路Ｍは、上流端が収納空間３２Ａの底部に開口しているとともに、下流端が連結穴３２Ｂの底部に開口している。すなわち、湯水流通路Ｍは、収納空間３２Ａと連結穴３２Ｂとを連通する形態で上下に延びている。湯水流通路Ｍを流通した混合湯又は水は、吐出管４０を経由して、吐出管４０の先端部に形成された湯水吐出口４５Ａから吐出される。
【００２７】
吐出用熱湯流通路ＨＤは、吐出される熱湯が流通する流通路である。吐出用熱湯流通路ＨＤは混合用熱湯流通路ＨＭとは別系統の熱湯流通路である。吐出用熱湯流通路ＨＤは混合弁３１の下方に形成されている。吐出用熱湯流通路ＨＤは、ハウジング３２の左側面であり、混合用熱湯流入口３２Ｃの後方に形成された吐出用熱湯流入口３２Ｅから右方に向かって延びて形成されている。吐出用熱湯流通路ＨＤは下流端が連結穴３２Ｂの側部に開口して連結部４１に接続されている。吐出用熱湯流通路ＨＤを流通した熱湯は、吐出管４０を経由して、吐出管４０の先端部に形成された熱湯吐出口４３Ｄから吐出される。
【００２８】
図３〜図５に示すように、給湯部１０、給水部２０、及び本体部３０は、夫々の背面（壁面と対向する面）において、ブラケット２に固定されている。ブラケット２は、正面視において左右方向に長い略長方形状をなしている。ブラケット２は、左側から給湯部１０、本体部３０、給水部２０の順に並ぶ形態で夫々を固定している。このように給湯部１０、給水部２０、及び本体部３０の夫々がブラケット２に固定された状態で、給湯部１０、給水部２０、及び本体部３０は、ブラケット２とともに、表面を意匠面とするカバー部材３により覆われている。
【００２９】
また、図２及び図５に示すように、本体部３０及び給湯部１０と、本体部３０及び給水部２０とは、夫々接続管１３，１４，２３を介して接続されている。接続管１３，１４，２３は夫々真鍮製である。これらの接続管１３，１４，２３のうち、接続管１３は、上流端が給湯部本体１２の混合用熱湯流出口１２Ａに接続され、下流端が本体部３０のハウジング３２の混合用熱湯流入口３２Ｃに接続されている。接続管１４は、上流端が給湯部本体１２の吐出用熱湯流出口１２Ｂに接続され、下流端が本体部３０のハウジング３２の吐出用熱湯流入口３２Ｅに接続されている。接続管２３は、上流端が給水部本体２２の水流出口２２Ａに接続され、下流端が本体部３０のハウジング３２の水流入口３２Ｄに接続されている。
【００３０】
吐出管４０は本体部３０に回動自在に接続されている。吐出管４０は、本体部３０から回動軸に沿って下方に延びる第１管部４０Ａと、この第１管部４０Ａの下端部から回動軸に交差する方向に直線状に延びる第２管部４０Ｂとを有しており、全体として略Ｌ字状に形成されている。吐出管４０は、本体部３０の正面前方を中心として、水平面内で約１８０°の範囲で回動自在とされている。吐出管４０には、第１管部４０Ａの上端部から第２管部４０Ｂの先端部に渡って、吐出管側熱湯流通路ＨＰ及び吐出管側湯水流通路ＭＰが形成されている。
【００３１】
吐出管４０は、図６〜図８に示すように、連結部４１、熱湯流通管部材４２、熱湯吐出部４３、湯水流通管部材４４、湯水吐出部４５、及び吐出管カバー部材４６を有している。このような吐出管４０において、吐出管側熱湯流通路ＨＰは、連結部４１、熱湯流通管部材４２、及び熱湯吐出部４３に渡って形成されており、吐出管側湯水流通路ＭＰは、連結部４１、湯水流通管部材４４、及び湯水吐出部４５に渡って形成されている。これら連結部４１、熱湯流通管部材４２、熱湯吐出部４３、湯水流通管部材４４、及び湯水吐出部４５は、吐出管カバー部材４６に収容されている。
【００３２】
図４及び図７に示すように、連結部４１は、第１管部４０Ａの上端部に配置されている。連結部４１はＰＰＳ樹脂製であり、内部に吐出管側熱湯流通路ＨＰ及び吐出管側湯水流通路ＭＰを形成している。連結部４１は上端部が上端に向かうに連れて段差状に縮径する円筒状である。吐出管４０は、この連結部４１の上端部が、本体部３０のハウジング３２に形成された連結穴３２Ｂに回動自在に差し込まれることで、全体として、第１管部４０Ａの中心軸を回動軸とした本体部３０に対する回動が可能とされている。連結部４１は下端部外周が固定ナット４７により覆われている。固定ナット４７は真鍮製である。固定ナット４７は連結部４１に作用するモーメント荷重等を受けて連結部４１の破損を防止する。
【００３３】
連結部４１は、図７に示すように、上端部の側面に熱湯流入口４１Ａが形成されている。熱湯流入口４１Ａは、連結部４１がハウジング３２の連結穴３２Ｂに差し込まれた状態で、ハウジング３２との間に形成される環状空間３２Ｆに連通する。熱湯流入口４１Ａは、環状空間３２Ｆを介して、本体部３０側の吐出用熱湯流通路ＨＤに連通する。熱湯流入口４１Ａは、吐出管４０の第２管部４０Ｂの延伸方向に開口して形成されているが、環状空間３２Ｆに連通しているため、連結部４１の回動に伴う周方向の位置変化に関わらず、本体部３０側の吐出用熱湯流通路ＨＤと常時連通した状態とされる。
【００３４】
また、連結部４１は上端面に湯水流入口４１Ｂが形成されている。湯水流入口４１Ｂは、連結部４１がハウジング３２の連結穴３２Ｂに差し込まれた状態で、本体部３０側の湯水流通路Ｍに連通する。湯水流入口４１Ｂは、連結部４１の軸心に同軸に開口して形成されている。このため、湯水流入口４１Ｂは、連結部４１の回動に伴う周方向の位置の変化が生じず、本体部３０側の湯水流通路Ｍと常時連通した状態とされる。
【００３５】
連結部４１は下端面に熱湯流出口４１Ｃ及び湯水流出口４１Ｄが形成されている。熱湯流出口４１Ｃは、上端部の熱湯流入口４１Ａから流入した熱湯を流出する。湯水流出口４１Ｄは、上端面に開口する湯水流入口４１Ｂから流入した混合湯又は水を流出する。熱湯流出口４１Ｃ及び湯水流出口４１Ｄは、吐出管４０の第２管部４０Ｂの延伸方向に沿って並んで配されている。
【００３６】
熱湯流通管部材４２は、その内部が吐出管側熱湯流通路ＨＰとされている。熱湯流通管部材４２は、図６に示すように、真鍮製の接続エルボ４２Ａと、銅製の直管４２Ｂとを具備している。接続エルボ４２Ａは略Ｌ字形状をなす管継手である。接続エルボ４２Ａは、その上流側端部が連結部４１の熱湯流出口４１Ｃに下方から差し込まれている。接続エルボ４２Ａは、その下流側端部が吐出管４０の第２管部４０Ｂの延伸方向を向いて側方に開口している。接続エルボ４２Ａは下流側端部に直管４２Ｂの上流側端部が差し込まれている。直管４２Ｂは吐出管４０の第２管部４０Ｂ内に、第２管部４０Ｂの延伸方向に沿って配置されている。直管４２Ｂは、図６及び図８に示すように、下流側端部が熱湯吐出部４３に接続されている。熱湯吐出部４３は熱湯吐出弁４３Ａを内蔵している。熱湯吐出弁４３Ａは、流量調整機能付き開閉弁であり、後述する回動式ハンドル６０を回動操作することにより開閉され、熱湯の吐出量を調節することができる。また、熱湯吐出部４３は、この熱湯吐出弁４３Ａを収納する弁収納部４３Ｂと、熱湯吐出弁４３Ａから流出する熱湯を整流するストレーナ部４３Ｃとを具備している。弁収納部４３Ｂ及びストレーナ部４３Ｃはともに金属製である。熱湯吐出部４３を通過した熱湯はストレーナ部４３Ｃの下流端に形成された熱湯吐出口４３Ｄから吐出される。
【００３７】
湯水流通管部材４４は、その内部が吐出管側湯水流通路ＭＰとされている。湯水流通管部材４４は、図６に示すように、真鍮製の接続ソケット４４Ａと、略Ｌ字形状に形成された銅製のＬ字管４４Ｂとを具備している。接続ソケット４４Ａは、直管形状をなす管継手である。接続ソケット４４Ａは、その上流側端部が連結部４１の湯水流出口４１Ｄに下方から差し込まれている。接続ソケット４４Ａは、その下流側端部にＬ字管４４Ｂの上流側端部が下方から差し込まれている。Ｌ字管４４Ｂは、図７に示すように、上流側の端部が第１管部４０Ａ内で上下に延びている。Ｌ字管４４Ｂは、第２管部４０Ｂにおいて、下流側が熱湯流通管部材４２の直管４２Ｂと略平行に延びる形態で、直管４２Ｂの下方に離間して配置されている。Ｌ字管４４Ｂは下流側端部が湯水吐出部４５に接続されている。湯水吐出部４５はＰＰＳ樹脂製であり、その内部にＬ字形状の吐出管側湯水流通路ＭＰが形成されている。湯水吐出部４５を通過した混合湯又は水は、湯水吐出口４５Ａから吐出される。
【００３８】
吐出管カバー部材４６は第１管部４０Ａ及び第２管部４０Ｂの外殻を構成している。つまり、吐出管カバー部材４６は、熱湯流通管部材４２、熱湯吐出部４３、湯水流通管部材４４、及び湯水吐出部４５を収納している。また、吐出管カバー部材４６は第１管部４０Ａの外殻を構成した部分における上端部に連結部４１及び固定ナット４７の下端部を収納している。吐出管カバー部材４６が外殻を構成した第１管部４０Ａ及び第２管部４０Ｂの夫々は、外観視が略円柱状であり、第１管部４０Ａが第２管部４０Ｂよりも太く形成されている。また、第１管部４０Ａは、混合水栓１が設置状態において、上下方向に延びており、第２管部４０Ｂは第１管部４０Ａの側面から突出するように形成され、横方向に直線上に延びている。
【００３９】
レバー式ハンドル５０は、本体部３０の混合弁３１による混合湯の混合割合及び吐出量を調節する操作ハンドルである。レバー式ハンドル５０は、水平方向に延びる軸及び鉛直方向に延びる軸の２軸周りに回動自在に本体部３０の上部に設けられている。レバー式ハンドル５０は、水平軸周りの回動、すなわち、レバー式ハンドル５０の先端が上下に移動する回動操作により、止水状態も含む混合湯の吐出量を調節する。また、レバー式ハンドル５０は、鉛直軸周りの回動、すなわち、レバー式ハンドル５０の先端が水平に移動する回動操作により、水のみの吐出も含む混合湯の混合割合を調節する。
【００４０】
回動式ハンドル６０は、熱湯吐出口４３Ｄから吐出される熱湯の吐出量を調節する(止水状態も含む)操作ハンドルである。回動式ハンドル６０は吐出管４０の先端部に設けられている。回動式ハンドル６０は、吐出管４０の第２管部４０Ｂの軸心周りに回動自在に設けられている。回動式ハンドル６０は、吐出管４０の外径と略同径の略円柱形状をなしており、その中心軸が吐出管４０の第２管部４０Ｂの中心軸と同軸に吐出管４０の先端に配置されている。
【００４１】
次に、上記のように構成された実施例１の混合水栓１の作用について説明する。
この混合水栓１は、熱湯を吐出する場合、回動式ハンドル６０を操作する。これにより、給湯部１０から供給された熱湯が、接続管１４を介して、本体部３０のハウジング３２の吐出用熱湯流入口３２Ｅから流入する。流入した熱湯は、吐出用熱湯流通路ＨＤ、吐出管側熱湯流通路ＨＰを流通して、熱湯吐出口４３Ｄから吐出される。一方、この混合水栓１は、混合湯又は水を吐出する場合、レバー式ハンドル５０を操作する。このレバー式ハンドル５０によって混合弁３１が操作される。混合弁３１には、混合用熱湯流通路ＨＭ、及び水流通路Ｃが接続されており、これらを流通して供給された熱湯及び水を混合した混合湯又は水を流出する。混合弁３１から流出した混合湯又は水は、湯水流通路Ｍ、及び吐出管側湯水流通路ＭＰを経て湯水吐出口４５Ａから吐出される。
【００４２】
以上のように、実施例１の混合水栓１は、給湯部１０、給水部２０、及び本体部３０を備えている。給湯部１０は熱湯を供給する。給水部２０は水を供給する。本体部３０は給湯部１０と給水部２０の間に配置されている。本体部３０は、給湯部１０から供給された熱湯と給水部２０から供給された水とを混合した混合湯又は水を流出する混合弁３１を有している。そして、本体部３０には、混合弁３１に供給する熱湯が流通する混合用熱湯流通路ＨＭ、混合弁３１に供給する水が流通する水流通路Ｃ、混合弁３１を経由して吐出される混合湯又は水が流通する湯水流通路Ｍ、及び吐出される熱湯が流通する吐出用熱湯流通路ＨＤが形成されている。
【００４３】
実施例１の混合水栓１は、吐出するための熱湯が流通する吐出用熱湯流通路ＨＤと、混合弁３１に熱湯を供給するための混合用熱湯流通路ＨＭと、水が流通する水流通路Ｃと、混合弁３１により混合された混合湯又は水が流通する湯水流通路Ｍが、本体部３０に集約して形成されている。このため、混合水栓１は、吐出用の熱湯流通路が本体部３０外に形成されている構成と比較して、小型化を図ることができる。
【００４４】
したがって、実施例１の混合水栓１は、大型化を回避して省スペース化を図ることができる。
【００４５】
また、本体部３０は、設置状態における混合弁３１の下方に吐出用熱湯流通路が形成されている。このように、混合弁３１と吐出用熱湯流通路ＨＤとを上下に配置することで、本体部３０の奥行き寸法を抑えることができ、本体部３０の小型化を図ることができる。
【００４６】
また、本体部３０、給湯部１０、及び給水部２０は夫々別体に設けられている。このため、各部の構造を簡素化でき、更なる小型化を図ることができる。また、内部に各種流通路が形成される本体部３０が、給湯部１０及び給水部２０と一体に設けられている場合と比較して、各流通路の経路を簡素化することができるので、容易に製造することができる。更に、例えば、熱湯が流通する本体部３０や給湯部１０は耐熱性に優れた材質を採用する等、各部の性質に適した異なる材料を選択して採用することができる。
【００４７】
また、本体部３０と給湯部１０、及び本体部３０と給水部２０は、夫々接続管１３，１４，２３で接続されている。このため、本体部３０に給湯部１０及び給水部２０を直接接続する場合と比較して、各部の構造をより簡素化することができ、更なる小型化を図ることができる。
【００４８】
また、給湯部１０は、混合用熱湯流通路ＨＭ及び吐出用熱湯流通路ＨＤの夫々に熱湯を供給するように分岐して形成されている。このため、混合用熱湯流通路ＨＭと吐出用熱湯流通路ＨＤとを本体部３０内で分岐させる場合と比較して、本体部３０の構造をより簡素化することができ、更なる小型化を図ることができる。
【００４９】
また、本体部３０に接続されるとともに、吐出用熱湯流通路ＨＤに連通して形成された吐出管側熱湯流通路ＨＰと、湯水流通路Ｍに連通して形成された吐出管側湯水流通路ＭＰとが形成された吐出管４０を備えている。これにより、１つの吐出管で熱湯と混合湯又は水とを吐出できるので、熱湯が吐出される吐出管と混合湯又は水が吐出される吐出管とを別々に設けた場合と比較して、更なる小型化を図ることができる。
【００５０】
また、本体部３０は、表面を意匠面とするカバー部材３によって覆われている。そして、本体部３０は、混合弁３１と、この混合弁３１を収納するとともに、湯水流通路Ｍ及び吐出用熱湯流通路ＨＤが形成されたハウジング３２と、を有している。このため、混合水栓１は、意匠性については別体のカバー部材３により確保し、本体部３０については、混合弁３１の収納形態や各流通路ＨＤ，Ｍの形成形態等の選択を、例えば、機能性等、意匠性とは別の観点で随意に行うことができる。その結果、意匠性と機能性等の他の性能とを兼ね備えた混合水栓を容易に実現することができる。
【００５１】
本発明は上記記述及び図面によって説明した実施例１に限定されるものではなく、例えば次のような実施例も本発明の技術的範囲に含まれる。
（１）実施例１では、Ｌ字状に屈曲した吐出管を備える形態を例示したが、吐出管の形状等は特に限定されない。吐出管は、例えば、いわゆるグースネックのように曲線状に構成されていてもよい。
（２）上記実施例では、本体部は混合弁の下方に吐出用熱湯流通路が形成されている形態を例示したが、これは必須ではない。吐出用熱湯流通路の流通経路は特に限定されない。
（３）上記実施例では、本体部と、給湯部と、給水部とを別体に設ける形態を例示したが、これは必須ではない。例えば、本体部と給湯部とを一体に設けたり、本体部と給水部とを一体に設けたり、本体部、給湯部及び給水部を一体に設ける形態であってもよい。
（４）上記実施例では、本体部と給湯部、及び本体部と給水部を夫々接続管で接続する形態を例示したが、これは必須ではない。これらは接続管を介さず、直接的に接続されていてもよい。
（５）上記実施例では、混合用熱湯流通路と吐出用熱湯流通路とが給湯部内で分岐する形態を例示したが、本体部内で分岐する形態であってもよい。
（６）上記実施例では、１つの吐出管内に熱湯流通路及び湯水流通路が形成され、この１つの吐出管から熱湯及び混合湯又は水を吐出する形態を例示したが、熱湯流通路と湯水流通路とを異なる吐出管に別々に形成する形態であってもよい。
（７）上記実施例では、各部材を特定の材質で形成する形態を例示したが、各部材の材質は特に限定されない。
【符号の説明】
【００５２】
１…混合水栓
２…ブラケット
３…カバー部材
１０…給湯部
１１…給湯側取付脚
１１Ａ…カバー
１２…給湯部本体
１２Ａ，１２Ｂ…熱湯流出口（１２Ａ…混合用熱湯流出口、１２Ｂ…吐出用熱湯流出口）
１３，１４，２３…接続管
２０…給水部
２１…給水側取付脚
２２…給水部本体
２２Ａ…水流出口
３０…本体部
３１…混合弁
３２…ハウジング
３２Ａ…収納空間
３２Ｂ…連結穴
３２Ｃ，３２Ｄ，３２Ｅ…流入口（３２Ｃ…混合用熱湯流入口、３２Ｄ…水流入口、３２Ｅ…吐出用熱湯流入口）
３２Ｆ…環状空間
４０…吐出管
４０Ａ…第１管部
４０Ｂ…第２管部
４１…連結部
４１Ａ，４１Ｂ…流入口（４１Ａ…熱湯流入口、４１Ｂ…湯水流入口）
４１Ｃ，４１Ｄ…流出口（４１Ｃ…熱湯流出口、４１Ｄ…湯水流出口）
４２…熱湯流通管部材
４２Ａ…接続エルボ
４２Ｂ…直管
４３…熱湯吐出部
４３Ａ…熱湯吐出弁
４３Ｂ…弁収納部
４３Ｃ…ストレーナ部
４３Ｄ…熱湯吐出口
４４…湯水流通管部材
４４Ａ…接続ソケット
４４Ｂ…Ｌ字管
４５…湯水吐出部
４５Ａ…湯水吐出口
４６…吐出管カバー部材
４７…固定ナット
５０…レバー式ハンドル
６０…回動式ハンドル
Ｃ…水流通路
ＨＤ，ＨＭ，ＨＰ…熱湯流通路（ＨＤ…吐出用熱湯流通路、ＨＭ…混合用熱湯流通路、ＨＰ…吐出管側熱湯流通路）
Ｍ，ＭＰ…湯水流通路（Ｍ…湯水流通路、ＭＰ…吐出管側湯水流通路）
【図１】
2019044386.tif 000003
【図２】
2019044386.tif 000004
【図３】
2019044386.tif 000005
【図４】
2019044386.tif 000006
【図５】
2019044386.tif 000007
【図６】
2019044386.tif 000008
【図７】
2019044386.tif 000009
【図８】
2019044386.tif 000010